(57)【要約】  本出願が提供される取り付け待機中のコンポーネントを取り付けるための取り付けブラケットは、固定フレームと、それぞれ前記固定フレームに回転可能に接続され、前記固定フレームの対向する両側に配置される少なくとも２つの回転ブラケット、及び前記固定フレーム及び前記少なくとも２つの回転ブラケットに取り外し可能に配置されるバックプレートと、を備える。本出願はまた、取り付けブラケットを含むバッテリーアセンブリ及び電力貯蔵システムを提供する。本出願が提供される取り付けブラケットは、床置き設置と壁掛け設置とを柔軟に切り替えることができる。【選択図】図１
2022501758.tif 000002
【特許請求の範囲】
【請求項１】
取り付け待機中のコンポーネントを取り付けるための取り付けブラケットであって、
固定フレームと、
それぞれ前記固定フレームに回転可能に接続され、前記固定フレームの対向する両側に配置される少なくとも２つの回転ブラケットと、
前記固定フレーム及び前記少なくとも２つの回転ブラケットに取り外し可能に配置されるバックプレートと、を備えることを特徴とする取り付けブラケット。
【請求項２】
前記各回転ブラケットに欠け口が設けられ、前記バックプレートには、少なくとも２つの位置決めピンが設けられ、前記少なくとも２つの位置決めピンは、前記２つの回転ブラケットの欠け口と係合して、対応する欠け口に係合して、前記少なくとも２つの回転ブラケットが前記バックプレートに接続されることを特徴とする請求項１に記載の取り付けブラケット。
【請求項３】
前記取り付けブラケットは、少なくとも２つのボルトを備え、
前記回転ブラケットが前記バックプレートとの接続を解除した時、前記少なくとも２つのボルトが前記２つの回転ブラケットの欠け口を通過して、前記少なくとも２つの回転ブラケットを壁面に固定することを特徴とする請求項１或いは２に記載の取り付けブラケット。
【請求項４】
各回転ブラケットは、第１接続部、前記第１接続部の一端を垂直に延長した第２接続部、及び前記第２接続部における前記第１接続部から離れた一端を折り曲げて延長した延長部を備え、前記第１接続部を水平方向に沿って回転させると、前記２つの回転ブラケットの延出部の間に前記取り付け待機中のコンポーネントが挟まれることを特徴とする請求項３に記載の取り付けブラケット。
【請求項５】
前記固定フレームは、固定枠と、前記固定枠に設けられたフックとを備え、前記バックプレートには、前記フックと係合する係合口が設けられ、前記フックが前記係合口に係合されることを特徴とする請求項１に記載の取り付けブラケット。
【請求項６】
前記固定フレームは補強板をさらに含み、前記補強板は前記固定枠に配置されることを特徴とする請求項５に記載の取り付けブラケット。
【請求項７】
前記フックが２組のフックをさらに含み、第１組のフックは、前記固定枠の先部に設けられ、第２組のフックは、前記補強板に設けられることを特徴とする請求項６に記載の取り付けブラケット。
【請求項８】
前記固定枠、前記フックおよび前記補強板は一体に形成され、前記第１組のフックは、前記固定枠の上部を折り曲げて形成され、前記第２組のフックは、前記補強プレートの上部を折り曲げて形成されることを特徴とする請求項７に記載の取り付けブラケット。
【請求項９】
前記取り付けブラケットは、ベースをさらに備え、前記ベースは、取り付け部、前記取り付け部の一端に垂直に配置された支持部を備え、前記取り付け部と前記固定枠の下端が接続されていることを特徴とする請求項５に記載の取り付けブラケット。
【請求項１０】
前記支持部に水出口が設けられることを特徴とする請求項９に記載の取り付けブラケット。
【請求項１１】
バッテリーモジュールであって、
請求項１〜１０のいずれか一項に記載の取り付けブラケットとを備え、
前記取り付けブラケットは、前記バッテリーモジュールを取り付けるためのものであることを特徴とするバッテリーモジュール。
【請求項１２】
電力貯蔵システムであって、
請求項１１に記載の取り付けブラケット、バッテリー管理システム、及び電気機器を含み、
前記バッテリーモジュールは、前記バッテリー管理システム及び前記電気機器に電気的に接続されて、前記バッテリー管理システムの制御下で前記電気機器に電力が供給することを特徴とする電力貯蔵システム。
【発明の詳細な説明】
【技術分野】
【０００１】
本出願は、取り付けフレーム、取り付けブラケットを有するバッテリーアセンブリ、及び電力貯蔵システムに関する。
【背景技術】
【０００２】
取り付けブラケットは、取り付け待機中のコンポーネント、例えば、バッテリーモジュールやシャーシなどを、地面または壁などの取り付け部に固定して取り付ける。従来の取り付け方法は、床への取り付けと壁への取り付けなどを含む。ただし、従来の取り付けブラケットの取り付け方法は単一であり、複数の設置場所に応じて柔軟に組み合わせできず、異なる設置場所にも使用できないため、建設と取り付けが不便である。
【発明の概要】
【発明が解決しようとする課題】
【０００３】
以上の問題点に鑑みて、本発明は、現場の使用環境に応じて床への設置方法や壁への設置方法を柔軟に変更できる取り付けブラケットを提供することを目的とする。また、取り付けブラケットを含むバッテリーアセンブリを提供する。また、バッテリーアセンブリを含む電力貯蔵システムを提供する。
【課題を解決するための手段】
【０００４】
取り付け待機中のコンポーネントを取り付けるための取り付けブラケットであって、
固定フレームと、それぞれ前記固定フレームに回転可能に接続され、前記固定フレームの対向する両側に配置される少なくとも２つの回転ブラケットと、前記固定フレーム及び前記少なくとも２つの回転ブラケットに取り外し可能に配置されるバックプレートと、を備える。
【０００５】
各回転ブラケットに欠け口が設けられ、前記バックプレートには、少なくとも２つの位置決めピンが設けられ、前記少なくとも２つの位置決めピンは、前記２つの回転ブラケットの欠け口と係合して、対応する欠け口に係合して、前記少なくとも２つの回転ブラケットが前記バックプレートに接続される。
【０００６】
前記取り付けブラケットは、少なくとも２つのボルトを備え、前記少なくとも２つのボトが前記回転ブラケットが前記バックプレートとの接続を解除した時、前記２つの回転ブラケットの欠け口を通過して、前記少なくとも２つの回転ブラケットを壁面に固定する。
【０００７】
各回転ブラケットは、第１接続部、前記第１接続部の一端を垂直に延長した第２接続部、及び前記第２接続部における前記第１接続部から離れた一端を折り曲げて延長した延長部を備え、第１接続部を水平方向に沿って回転させると、２つの回転ブラケットの延長部の間に前記取り付け待機中のコンポーネントが挟まれる。
【０００８】
前記固定フレームは、固定枠と、前記固定枠に設けられたフックとを備え、前記バックプレートには、前記フックと配合する係合口が設けられ、前記フックが前記係合口に係合される。
【０００９】
前記固定フレームは補強板をさらに含み、前記補強板は前記固定枠に配置される。
【００１０】
前記フックが２組のフックをさらに含み、第１組のフックは、前記固定枠の先部に設けられ、第２組のフックは、前記補強板に設けられる。
【００１１】
前記固定枠、前記フックおよび前記補強板は一体に形成され、前記第１組のフックは、前記固定枠の上部を折り曲げて形成され、前記第２組のフックは、前記補強プレートの上部を折り曲げて形成される。
【００１２】
前記取り付けブラケットは、ベースをさらに備え、前記ベースは、取り付け部、前記取り付け部の一端に垂直に配置された支持部を備え、前記取り付け部と前記固定枠の下端が接続されていることを特徴とする請求項６に記載の取り付けブラケット。
【００１３】
前記支持部に水出口が設けられる。
【００１４】
バッテリーモジュールであって、取り付けブラケットとを備え、前記取り付けブラケットは、前記バッテリーモジュールを取り付けるためのものである。
【００１５】
電力貯蔵システムであって、取り付けブラケット、バッテリー管理システム、及び電気機器を含み、前記バッテリーモジュールは、前記バッテリー管理システム及び前記電気機器に電気的に接続されて、前記バッテリー管理システムの制御下で前記電気機器に電力を供給する。
【発明の効果】
【００１６】
本出願で提供される取り付けブラケット、バッテリーアセンブリ及び電力貯蔵システムは、前記固定枠と前記回転ブラケットの配合によって床への取り付けを実現し、前記固定枠、前記回転ブラケット及び前記バックプレートの配合によって壁への取り付けを実現して、現場の使用環境に応じて、床への取り付けと壁への取り付けを柔軟に切り替えることができる。
【図面の簡単な説明】
【００１７】
本発明の実施形態における技術的解決策をより明確に説明するために、実施形態又は従来技術を説明するために必要な添付図面を簡単に説明する。当然ながら、以下の説明における添付図面は、本発明の一部の実施形態を示すものに過ぎない。当業者であれば、創意工夫なしにこれらの添付図面から他の図面を更に導出できるであろう。
【００１８】
【図１】図１は、本出願の一実施形態による電池モジュールの概略斜視構造図である。
【図２】図２は、図１の取付ブラケットの分解斜視図である。
【図３】図３は、本出願の取り付けブラケットの床への取り付け方式の概略図である。
【図４】図４は、図２のバックプレートの裏面図である。
【図５】図５は、本出願の取り付けブラケットによる壁への取り付け方式の概略図である。
【発明を実施するための形態】
【００１９】
以下では、添付図面を参照しながら本発明の実施形態の技術的解決策を明確かつ完全に説明する。ただし、以下で説明する実施形態は、本発明の実施形態の全部というよりもむしろ一部にすぎない。当業者が本開示の実施形態に基づいて何ら創造的努力を行わずに取得する他のあらゆる実施形態は、本発明の保護範囲に該当する。別途指定していない限り、全ての技術用語及び科学用語は、当業者が理解する通常の意味を有する。本開示において使用する用語は、限定ではなく例示である。ある構成部品が別の構成部品に「接続されている」と説明している場合、この構成部品は、別の構成部品に直接接続することも、又は中間構成部品が存在することもできる。ある構成部品が別の構成部品上に「配置されている」と説明している場合、この構成部品は、別の構成部品上に直接配置することも、又は中間構成部品が存在することもできる。「先端」又は同様の表現などの方向を示す用語は、例示を目的とするものにすぎない。さらに、「含む」および「有する」という用語ならびにそれらの任意の変形は、非排他的な包含をカバーすることを意図している。例えば、一連のステップまたはユニットを含むプロセス、方法、システム、製品、またはデバイスは、記載されたステップまたはユニットに限定されず、オプションで、記載されていないステップまたはユニットを含むか、或いはオプションで、これらのプロセス、方法、製品または機器に対する固有のその他のステップまたはユニットも含むことができる。
【００２０】
図１を参照すると、図１は、本出願の実施形態によるバッテリーアセンブリ４００の斜視図であり、２つの回転ブラケット６０を露出させるために、取り付けブラケット１００からバックプレート４０の一部が除去されている。バッテリーアセンブリ４００は、取り付けブラケット１００及びバッテリーモジュール３００を含む。取付ブラケット１００は、地面や壁に電池モジュール３００を取り付けるためのものであり、電池モジュール３００は、取り付けブラケット１００に支持される。
【００２１】
取付ブラケット１００は、固定フレーム２０、２つの回転ブラケット６０、及びバックプレート４０を含む。少なくとも２つの回転ブラケット６０は、それぞれ固定フレーム２０に回転可能に接続され、且つ固定フレーム２０の対向する両側に配置され、バックプレート４０は、固定フレーム２０及び２つの回転ブラケット６０に取り外し可能に配置される。取り付けブラケット１００は、シャーシを取り付けるための、取り付け待機中のコンポーネントでもよい。
【００２２】
図２を参照すると、図２は、図１に示した取り付けブラケット１００の分解斜視図であり、バックプレート４０は１つの完全な構造である。固定フレーム２０は、バッテリーモジュールを固定するためのものであり、ボルト締めや溶接等手段によりバッテリーモジュールの筐体に接続される。固定フレーム２０は、固定枠２１と、固定枠２１に設けられたフック２３及び補強板２５とを備える。固定枠２１は、略矩形状のフレーム構造であり、且つ複数の複数の第１接続孔２１１が設けられ、複数の第１接続孔２１１は、ボルトを通過させて、固定枠２１とバッテリーモジュールを固定する。補強板２５は、固定枠２１の略中間位置に配置され、固定枠２１の対向する両側を連結して、固定枠２１の剛性を高める。本実施形態では、フック２３の数は４つであり、４つのフック２３は、２つの組に分けて固定枠２１と補強板２５上に配置され、第１組のフック２３は、固定枠２１の先端に配置され、第２組フック２３は、補強板２５に配置されている。他の実施形態では、フック２３の数は２つ、３つ、または４つ以上であってもよく、フック２３の数は２組の組数より大きく、固定枠２１に設置されて、バックプレート４０を固定する。本実施形態では，固定枠２１、フック２３及び補強板２５が一体に形成されており、第１組のフック２３は、固定枠２１の上面から折り曲げて形成され，第２組のフック２３は、補強板２５の上面から折り曲げて形成される。他の実施形態では、固定枠２１、フック２３、および補強板２５は、別々に成形され、組み立てられて固定フレーム２０を形成してもよい。
【００２３】
また、固定フレーム２０は、固定枠２１の下端に設けられた支持台２７をさらに備える。支持台２７は、バッテリーモジュールを支持するために使用される。支持台２７は、略Ｌ字形を呈し、支持台２７と固定枠２１とが囲んで、バッテリーモジュールを収容するための収容空間を形成する。本実施形態では、支持台２７の数は２つである。支持台２７は、取り付け部２７１と、及び取り付け部２７１における固定枠２１から離れている一端に垂直に設置された支持部２７３と、を備える。取り付け部２７１は、略板状である。支持部２７３は、底板と、及び底板の３辺に配置された３枚の側板と、を備え、底板、３枚の側板、及び取り付け部２７１が囲んで、一つの開口がある矩形のブロック構造を形成する。ここで、３つの側板は互いに接続されておらず、隣接する２つの側板の側部間にスリットが形成されて、矩形のブロック構造内に溜まった水が流出する。底板と側板には、水出口２７５が形成されている。本実施形態では、支持台２７は、板金を折り曲げて形成される。本実施形態では、水出口２７５の数は２つ〜４つである。支持台２７の数及び水出口２７５の数は、上記の実施形態に限定されず、それらは実際の必要性に応じて設計できることが理解できる。他の実施形態では、水出口２７５は、底板または側板に設けられてもよく、３つの側板は、互いに接続されてもよい。
【００２４】
また、固定枠２１の両側には、２つのフック２４が設けられている。２つのフック２４は、垂直に延長して固定枠２１の両側に形成され、固定枠２１の幅方向に沿って固定枠２１の外部に突出している。フック２４には、取り付け孔２４が設けられる。
【００２５】
さらに、取り付けブラケット１００は、２つのスタッド２６をさらに含む。２つのスタッド２６は取り付け孔に挿入され、固定フレーム２０と回転ブラケット６０を接続するために使用される。回転ブラケット６０には、スタッド２６が通過する取り付け孔が設けられている。
【００２６】
図４を参照すると、さらに、取り付けフレーム１００は、ナット８０をさらに含み、ナット８０は、スタッド２６にネジで接続され、回転ブラケット６０における固定フレーム２０から離れた一側に配置される。ナット８０の回転を制御することにより、回転ブラケット６０と固定枠２０との結合の強さを調整し、回転ブラケット６０の回転と固定を実現する。
【００２７】
再び図２を参照すると、回転ブラケット６０は、順次接続される第１接続部６２、第２接続部６４、及び延長部６６を含む。第１接続部６２は、スタッド２６を介して固定フレーム２０に接続される。第２接続部６４は、垂直に延長して第１接続部６２の一端に形成される。延長部６６は、略Ｌ字状であり、第２接続部６４における第１接続部６２から離れた端部を折り曲げて延長して形成される。回転ブラケット６０の第１接続部６２が水平方向に回転すると、回転ブラケット６０がバックプレート４０との接続を解除し、バッテリーモジュールが２つの回転ブラケット６０の延長部６６の間に挟まれる。延長部６６における固定枠２０と対向する側には、欠け口６３が設けられて、回転ブラケット６０と壁面とを連結するボルトを規制する。ボルトの一端は切欠き６３を通過して壁面に挿入され、回転ブラケット６０と固定フレーム２０を壁面に固定する。
【００２８】
なお、回転ブラケット６０と固定フレーム２０との接続方法は、上記のネジ接続方式に限定されるものではなく、回転ブラケット６０と固定フレーム２０とは、ヒンジ接続、回転軸接続などを採用して回転接続を実現する。
【００２９】
バックプレート４０は略板状であり、バックプレート４０には、フック２３に対応する係合口４２が設けられる。具体的には、バックプレート４０の略中央位置に通孔４１が設けられており、バックプレート４０の先端と通孔４１の底壁がそれぞれ切断されて２つの係合口４２が形成されて、２組のフック２３と配合する。バックプレート４０は、係合口４２を介してフック２３に係合され、フック２３はバックプレート４０の垂直方向に沿って移動する。
【００３０】
図１および図３を合わせて参照すると、バックプレート４０には、２つの位置決めピン４６が設けられている。回転ブラケット６０がバックプレート４０に接続される場合、２つの位置決めピン４６は、２つの回転ブラケット６０の欠け口６３と配合して、対応する欠け口６３と係合し、バックプレート４０は、水平方向に沿って移動する。回転ブラケット６０の第１接続部６２が垂直方向に沿って回転すると、欠け口６３は、バックプレート４０の背面に位置する対応する位置決めピン４６に係合され、その結果、回転ブラケット６０とバックプレーン４０が接続されている。図示のバックプレート４０にも、ボルトが通過し壁面に接続するための複数の第２接続孔４７が設けられている。
【００３１】
図４を参照して、床に取り付ける場合、まず、バッテリーモジュール３００を支持台２７の上に置き、固定フレーム２０をバッテリーモジュール３００に接続し、次に、ナット８０を調整して回転ブラケット６０を緩めて回転ブラケット６０の第１接続部６２を水平方向に沿って回転させて、バッテリーモジュール３００が２つの回転ブラケット６０の延長部６６の間に挟まれ、最後に、ボルト９０は、欠け口６３を通過して壁面に固定される。このようにして、バッテリーモジュール３００を地上に取り付ける。
【００３２】
図１と図５を一緒に参照すると、壁に取り付ける場合、先ず、バッテリーモジュール３００を支持台２７に置き、固定フレーム２０をバッテリーモジュール３００に接続し、次に、ナットを調整して回転ブラケット６０を緩め、回転ブラケット６０の第１接続部６２が垂直方向に沿って回転させて、２つの回転ブラケット６０の欠け口６３がバックプレート４０の位置決めピン４６に係合され、最後に、ボルトをバックプレート４０の第２接続孔４７を通過して壁面に固定する。これにより、バッテリーモジュール３００の壁へ取り付けを完了する。
【００３３】
本出願は、電力貯蔵システムを提供し、電力貯蔵システムは、複数のバッテリーアセンブリ４００、バッテリー管理システム及び電気機器を備え，複数のバッテリーアセンブリ４００のバッテリーモジュール３００は、互いに直列接続され、且つそれぞれバッテリー管理システム及び電気機器に電気的に接続され、複数のバッテリーモジュール３００は、バッテリー管理システムの制御下で電気機器に電力を供給する。
【００３４】
本出願の別の実施形態では，電力貯蔵システムは、取り付けブラケット１００、直列に接続された複数のバッテリーモジュール３００、バッテリー管理システム及び電気機器を備える。複数のバッテリーモジュール３００は、取り付けブラケット１００に支持され、それぞれバッテリー管理システム及び電気機器に電気的に接続されて、バッテリー管理システムの制御下で電気機器に電力を供給する。
【００３５】
本願で提供される取り付けブラケット１００は、固定ブラケット２０と回転ブラケット６０との協働により床に取り付け、固定ブラケット２０と回転ブラケット６０及びバックプレート４０との協働により壁に取り付けて、使用者が設置場所の使用環境に応じて、床置き設置と壁掛け設置を柔軟に切り替えることができる。
【００３６】
加えて、床設置では、支持台２７が固定待機中の部品を支持し、これにより、固定待機中の部品のハウジングが設置地面に直接接触するのを防ぎ、固定待機中の部品のハウジングがほこりや湿気によって汚染されるのを防ぐことができ、ハウジングの保護を実現する。また、支持台２７には、水出口２７５が設けられており、設置床に水がある場合、水出口２７５を介して水を流出させ、溜水の危険を回避することができる。また、バックプレート４０は、互いに係合するフック２３と係合口４２、及び互いに係合する位置決めピン４６と欠け口６３を介して、固定フレーム２０および回転ブラケット６０に着脱自在に連結されるため、ボルトの接続が必要せず、着脱が便利である。
【００３７】
上記の開示は、本出願の好ましい形態にすぎず、もちろん、本出願の権利の範囲はこれによって制限され得ないので、本出願の請求項に従って行われた同等の変更は、依然として本出願の範囲内にある。
【符号の説明】
【００３８】
バッテリーアセンブリ  ４００
取り付けブラケット １００
バッテリーモジュール  ３００
固定枠  ２０
バックプレート  ４０
回転ブラケット  ６０
固定枠  ２１
フック  ２３
補強板  ２５
第１接続孔  ２１１
支持台  ２７
取り付け部  ２７１
支持部  ２７３
水出口  ２７５
フック  ２４
スタッド  ２６
ナット  ８０
第１接続部  ６２
第２接続部  ６４
延長部  ６６
欠け口  ６３
係合口  ４２
通孔  ４１
位置決めピン  ４６
第２接続孔  ４７
【図１】
2022501758.tif 000003
【図２】
2022501758.tif 000004
【図３】
2022501758.tif 000005
【図４】
2022501758.tif 000006
【図５】
2022501758.tif 000007
【国際調査報告】
2022501758.tif 000008
2022501758.tif 000009
2022501758.tif 000010
2022501758.tif 000011